(57)【要約】【課題】掃除機本体からの排気風の流速を上げることなく、放電電極からのマイナスイオンを効率よく増加させ、集塵効率の良い電気掃除機を提供する。【解決手段】吸引風を発する電動送風機１１を収納する電動送風機室１２と、塵埃を捕集する集塵室１４と、電動送風機１１からの排気を外部に排出するための二つの分離された第１、第２排気通路３５ａ、３５ｂと、第１、第２排気通路３５ａ、３５ｂのそれぞれに配されマイナスイオンを放射する放電電極３６ａ、３６ｂと、放電電極３６ａ、３６ｂに高電圧を印加する高圧回路（図示せず）とを備えたもので、分離された第１、第２排気通路３５ａ、３５ｂ内のそれぞれに放電電極３６ａ、３６ｂが配されているので、放電電極３６ａ、３６ｂの本数に応じてマイナスイオン量を効率よく増加させることが出来る。【選択図】図４
2009207798.tif 000002
【特許請求の範囲】
【請求項１】
吸引風を発する電動送風機を収納する電動送風機室と、塵埃を捕集する集塵室と、前記電動送風機からの排気を外部に排出するための少なくとも二つの分離された排気通路と、前記排気通路のそれぞれに配されマイナスイオンを放射する放電電極と、前記放電電極に高電圧を印加する高圧回路とを備えた電気掃除機。
【請求項２】
１個の高圧回路より複数の放電電極に高電圧を印加するようにした請求項１に記載の電気掃除機。
【請求項３】
放電電極が配された排気通路を形成する部材の表面に平面部を形成した請求項１又は２に記載の電気掃除機。
【発明の詳細な説明】
【技術分野】
【０００１】
本発明は、電気掃除機に関するもので、特に、イオンを発生させるイオン発生装置を有する電気掃除機に関するものである。
【背景技術】
【０００２】
従来のこの種の電気掃除機として、図７に示すようなものが一般的であった（例えば、特許文献１参照）。
【０００３】
図７は、上記特許文献１に記載された従来の電気掃除機の断面図である。図７において、１は、一本のイオン電極２が配設されマイナスイオンを発生させるイオン発生装置であり、掃除機本体３の後方上部や、吸引風を発する電動送風機４の上部に設けられている。７は、イオン電極２に５ｋＶの高電圧を印加するための高圧電源装置である。
【０００４】
掃除機本体３の後方には、マイナスイオンを放出するイオン放出口５が設けられており、電動送風機４からの排気風のほとんどは、掃除機本体３の後壁に設けた排気口６から排出されるが、残りの排気風は、イオン発生装置１内を通過し、マイナスイオンと共に、イオン放出口５から外気に放出されるようになっている。
【０００５】
一般に、空気中の浮遊塵埃は、プラスに帯電しているので、それらが掃除機本体３から放出されたマイナスイオンにひきつけられ、塊となって、床面上に落下する。これによって、従来吸引が困難だった空気中の浮遊塵埃も吸引できるようになる。
【特許文献１】特開２００４−３３４５４号公報
【発明の開示】
【発明が解決しようとする課題】
【０００６】
極性の異なる２つの放電電極間で放電させてイオンを発生させる場合は、そのイオンの放出量は、２つの放電電極間に印加する電圧や、放電電極間の距離などである程度自由に変えられるが、上記従来の電気掃除機のように、単極の放電電極、すなわち、プラスの高電圧のみ印加されるイオン電極２だけの場合は、その周囲に発生するマイナスイオン量が飽和するという特性がある。したがって、従来の電気掃除機の構成では、電動送風機４からの排気風に、マイナスイオンを十分添加することが出来ず、また、高圧電源装置の能力を十分活用できない、といった課題があった。
【０００７】
電動送風機４からの排気風に添加されるマイナスイオンの量を増やす方法として、イオン電極２に、電動送風機４からの排気風を高速で当てて、イオン電極２の周囲に発生するマイナスイオンを強力に吹き飛ばす方法も考えられるが、そうすると、掃除機本体３から排気される排気風の流速が上がり、掃除前の床面上の塵埃や、家具に付着した塵を吹き飛ばしたり、使用者に排気風があたるなど、衛生上好ましくない。
【０００８】
又、複数の放電電極を一つの通風路内に近接させて設ける方法も考えられるが、実験の結果、発生するマイナスイオン量が飽和してしまい、発生するマイナスイオン量を増加させることは出来なかった。
【０００９】
本発明は、上記従来の課題を解決するものであって、掃除機本体からの排気風の流速を上げることなく、イオン電極からのマイナスイオンを効率よく増加させ、集塵効率の良い電気掃除機を提供することを目的とする。
【課題を解決するための手段】
【００１０】
上記従来の課題を解決するために、本発明の電気掃除機は、吸引風を発する電動送風機を収納する電動送風機室と、塵埃を捕集する集塵室と、前記電動送風機からの排気を外部に排出するための少なくとも二つの分離された排気通路と、前記排気通路のそれぞれに配されマイナスイオンを放射する放電電極と、前記放電電極に高電圧を印加する高圧回路とを備えたもので、分離された複数の排気通路内のそれぞれに放電電極が配されているので、放電電極の本数に応じて、発生するマイナスイオン量を効率よく増加させることが出来る。
【発明の効果】
【００１１】
本発明の電気掃除機は、掃除機本体からの排気風の流速を上げることなく、放電電極からのマイナスイオンを効率よく増加させることができるので、集塵効率が高い。
【発明を実施するための最良の形態】
【００１２】
第１の発明は、吸引風を発する電動送風機を収納する電動送風機室と、塵埃を捕集する集塵室と、前記電動送風機からの排気を外部に排出するための少なくとも二つの分離された排気通路と、前記排気通路のそれぞれに配されマイナスイオンを放射する放電電極と、前記放電電極に高電圧を印加する高圧回路とを備えたもので、分離された複数の排気通路内のそれぞれに放電電極が配されているので、放電電極の本数に応じて、発生するマイナスイオン量を効率よく増加させることが出来る。
【００１３】
第２の発明は、特に、第１の発明の１個の高圧回路より複数の放電電極に高電圧を印加するようにしたもので、放電電極毎に高圧回路を設ける必要が無いので、コストアップを抑制できる。
【００１４】
第３の発明は、特に、第１または第２の発明の放電電極が配された排気通路を形成する部材の表面に平面部を形成したもので、この平面部を利用して放電することにより排気通路を形成する部材の帯電を防止することができ、帯電による放出性能の低下を改善することが出来る。また、この平面部を構成したことにより、アルミシートなどの金属箔を容易に貼り付けることができ、より効率的な除電を行うことが出来る。
【００１５】
以下、本発明の実施の形態について、図面を参照しながら説明する。なお、この実施の形態によって本発明が限定されるものではない。
【００１６】
（実施の形態１）
本発明の第１の実施の形態における電気掃除機について、図１〜図６を用いて説明する。
【００１７】
図１は、本実施の形態における電気掃除機の全体斜視図、図２は、同電気掃除機の断面図、図３は、同電気掃除機の掃除機本体の後方から見た斜視図、図４は、同掃除機本体の後方から見た斜視図（蓋体を外した状態）、図５は、同電気掃除機のイオン発生装置の分解斜視図と、裏から見た全体斜視図、図６は、図３のイオン発生装置部分の断面図である。
【００１８】
図１〜６において、掃除機本体１０は、後部に電動送風機１１を内蔵した電動送風機室１２が配され、前部に、着脱自在で塵埃を捕集する集塵袋１３を収納する集塵室１４が配され、後方下部の両側に１対の走行用の車輪１５が回転自在に取付けられ、底面前部には、同じく走行用のキャスター１６が取付けられている。掃除機本体１０の前部には、ホース１７の一端に設けた接続パイプ１８が着脱自在に接続されるホース差込み口１９が設けられている。
【００１９】
ホース１７の他端には、掃除の際に握る把手２０を備えた先端パイプ２１が設けられている。２２は、伸縮自在或いは継ぎ自在の延長管で、その下流側端部は前記先端パイプ２１に着脱自在に接続され、他端は、塵埃掻き上げ用の回転ブラシ（図示せず）を内蔵した吸込み具２３に着脱自在に接続される。
【００２０】
掃除機本体１０の外郭は、後方に電動送風機１１を収納する電動送風機室１２を覆い収納した下ボデー１０ａと上ボデー１０ｂから構成されている。
【００２１】
電動送風機１１の前部は、弾性材料よりなるサポートマエ２４で、後部は、同じく弾性材料からなるサポートウシロ２５で、それぞれ電動送風機室１２内に支持されている。２６は、電動送風機室１２と集塵室１４とを仕切る隔壁で、略中央に電動送風機１１の吸入開口２７と連通する格子状の隔壁開口部２８が設けられ、その隔壁開口部２８は、集塵室１４側から一次フィルター２９で覆われている。
【００２２】
３２は、後述のイオン発生装置３３を覆う蓋体で、掃除機本体１０に固着され、その後壁の左右にイオン放出口３２ａを有している。
【００２３】
また、掃除機本体１０を直立状態で収納する時、掃除機本体１０を安定支持させる為に、突出形状をしたレスト部３１ｂ、３１ｃのそれぞれが掃除機本体１０の後壁下部に、同じく突出形状のレスト部３１ａが蓋体３２の後壁中央に形成されている。
【００２４】
３３は、掃除機本体１０の後部上方に取り付けられると共に、マイナスイオンを発生するイオン発生装置であり、その外郭３４は、前カバー３４ａとそれに固定される後カバー３４ｂの２部品で構成され、後カバー３４ｂには、第１の排気通路３５ａと第２の排気通路３５ｂの２つの排気通路が独立して形成されている。
【００２５】
前カバー３４ａと後カバー３４ｂのそれぞれの左右の端部の下部に、断面略半円状の通路部材３８が一体的に突出して形成され、前カバー３４ａと後カバー３４ｂを組み立てたときに、それぞれ対向する通路部材３８で、電動送風機室１２と連通する空気通路３９が形成される。
【００２６】
３６ａ、３６ｂは、第１の排気通路３５ａ、第２の排気通路３５ｂのそれぞれの内部に配されるとともに、マイナスイオンを放射する放電電極で、ネジ３７で、後カバー３４ａに固定されている。
【００２７】
４０は、電動送風機室１２内に配され、放電電極３６ａ、３６ｂに、高圧電線４１を介して５ｋＶの高電圧を印加するための高圧回路で、４１ａは、放電電極３６ａと放電電極３６ｂとを電気的に接続する渡り線である。
【００２８】
又、第１の排気通路３５ａと第２の排気通路３５ｂを有する後カバー３４ｂの表面には、図５に示すように第１の排気通路３５ａと第２の排気通路３５ｂとを一定距離を置いて保持するための保持部３４ｄの上面に平面部３４ｃを形成し、その平面部３４ｃに、後カバー３４ｂに帯電した逆電荷を除電するためのアルミシートなどの金属箔４２（斜線部）が貼付されている。
【００２９】
尚、上記実施の形態では、放電電極３６ａと放電電極３６ｂとを別々に設け、両者を渡り線４１ａで電気的に接続したが、放電電極３６ａと放電電極３６ｂとを一体の一部品で形成し、マイナスイオンを放射する２つの針状部３６ｃを離して形成し、各針状部３６ｃを第１、第２の排気通路３５ａ、３５ｂ内部に配置するようにすれば、渡り線４１ａが不要になると共に、組み立ても容易になる。
【００３０】
以上のように構成された本実施の形態における電気掃除機の動作、作用は以下の通りである。
【００３１】
把手２０に設けたスイッチ（図示せず）を操作して、本実施の形態における電気掃除機の運転を開始すると、電動送風機１１による吸引風により、床面上の塵埃が、外気と共に吸込み具２３から吸引され、延長管２２、先端パイプ２１、ホース１７を経て、集塵袋１３に入り、そこで塵埃が捕集され、きれいになった空気は、一次フィルター２９を経て、電動送風機室１２に流れ、電動送風機室１２から外部に排気風が流れる。
【００３２】
この電動送風機１１からの排気風の大部分は、図６内の矢印Ａで示すように、掃除機本体１０の後方に配置された二次フィルター４３を経て、排気部４４から外部に放出される。
【００３３】
そして、電動送風機１１からの排気風の残りは、矢印Ｂで示すように、細塵を捕集する三次フィルター４６を経て、イオン発生装置３３の左右の空気通路３９より、イオン発生装置３３内に流入し、第１の排気通路３５ａと、第２の排気通路３５ｂに分流する。第１の排気通路３５ａ、第２の排気通路３５ｂのそれぞれに流入した排気風に、放電電極３６ａ、３６ｂのそれぞれの針状部３６ｃからコロナ放電により放射されたマイナスイオンが添加され、そのマイナスイオンが添加された空気が、第１の排気通路３５ａ、第２の排気通路３５ｂのそれぞれの排気出口３５ｃ、３５ｄより出て、最終的に、蓋体３２のイオン放出口３２ａより掃除機本体１０の外部に排出され、室内にマイナスイオンが拡散される。
【００３４】
マイナスイオンイオンは、脱臭効果・抗菌効果がある他、微細塵が一般にプラスに帯電している中でのマイナスイオン放射で、塵離れ効果があり、掃除をする室内の環境を向上することが出来る。
【００３５】
尚、マイナスイオンを放出するイオン放出口３２ａからの排気風速を、掃除機本体１０の後壁に設けた排気部４４から排出される排気風速に対し早くすることより、より効果的に室内に早く、身体に好影響を与えるマイナスイオンを多量に放出させることができる。
【００３６】
また、本実施の形態では、イオン発生装置３３を、三次フィルター４６の下流側に配置しているので、表面にごみ等が付着することはなく、ごみ等の付着によりマイナスイオンの放出が妨げられて、マイナスイオンの発生が妨げられることはなく、当初の性能を長期にわたり維持することができる。
【００３７】
以上のように本実施の形態によれば、分離された第１の排気通路３５ａ、第２の排気通路３５ｂのそれぞれに放電電極３６ａ、３６ｂが配されているので、放電電極３６ａ、３６ｂの本数に応じて、発生するマイナスイオン量を効率よく増加させることが出来る。
【００３８】
又、１個の高圧回路４０より複数の放電電極３６ａ、３６ｂに高電圧を印加するようにしたので、放電電極３６ａ、３６ｂ毎に高圧回路４０を設ける必要が無く、コストアップを抑制できる。
【００３９】
又、放電電極よりマイナスイオンが放出されることにより、その放電電極が配された排気通路を形成する部材が逆電荷で帯電すると、放電電極でのマイナスイオンの放出性能が低下してくる。第１の排気通路３５ａ、第２の排気通路３５ｂを有するイオン発生装置３３の外郭３４の表面に、平面部３４ｃを設けているので、除電のためのアルミシートなどの金属箔４２の取り付けが容易で、しかも剥がれ難くなる。
【００４０】
また、本実施の形態では、マイナスイオンを外部に放出するイオン放出口３２ａを、掃除機本体１０ではなく、掃除機本体１０に較べ小型の蓋体３２に形成しているので、金型構成が簡素化され金型コスト低減が可能となる。
【産業上の利用可能性】
【００４１】
以上のように、本発明の電気掃除機は、掃除機本体からの排気風の流速を上げることなく、放電電極からのマイナスイオンを効率よく増加させて、集塵効率を向上させることができるもので、種々の電気掃除機に適用することができる。
【図面の簡単な説明】
【００４２】
【図１】本実施の形態における電気掃除機の全体斜視図
【図２】同電気掃除機の断面図
【図３】同電気掃除機の掃除機本体の後方から見た斜視図
【図４】同掃除機本体の後方から見た斜視図（蓋体を外した状態）
【図５】（ａ）同電気掃除機のイオン発生装置の分解斜視図、（ｂ）同イオン発生装置の裏から見た全体斜視図
【図６】図３のＡ−Ａ断面図
【図７】従来の電気掃除機の断面図
【符号の説明】
【００４３】
１０    掃除機本体
１１    電動送風機
１２    電動送風機室
１４    集塵室
３３    イオン発生装置
３４ｂ  後カバー（部材）
３４ｃ  平面部
３５ａ  第１の排気通路（排気通路）
３５ｂ  第２の排気通路（排気通路）
３６ａ、３６ｂ  放電電極
４０    高圧回路
【図１】
2009207798.tif 000003
【図２】
2009207798.tif 000004
【図３】
2009207798.tif 000005
【図４】
2009207798.tif 000006
【図５】
2009207798.tif 000007
【図６】
2009207798.tif 000008
【図７】
2009207798.tif 000009